(57)【特許請求の範囲】
【請求項１】
外周に歯列を形成したフイルム巻き上げ用の巻き上げノブと、前記巻き上げノブの歯列に弾性自在に係合し、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えた巻き上げノブの構造において、
前記逆転防止爪の先端部が予め巻き上げノブの回転中心側に寄った位置となるように形成するとともに、前記巻き上げノブの回転中心と同軸にこの巻き上げノブの上面または下面に一体に形成された周面と、先端が前記周面の内側で前記巻き上げノブの回転中心側に寄った位置となるように前記逆転防止爪と一体に形成され、組立時に前記周面と当接して前記逆転防止爪の先端部を前記巻き上げノブの回転中心側から離れる方向に変位させて所定の位置に位置決めする位置決めアームとを備えたことを特徴とする巻き上げノブの構造。
【請求項２】
前記位置決めアームは、その一部を前記巻き上げノブの歯列及び前記周面以外に当接させて、前記巻き上げノブの正転操作の際に生じる前記逆転防止爪の振動音を阻止するようにしたことを特徴とする請求項１記載の巻き上げノブの構造。
【請求項３】
前記周面は、前記巻き上げノブを逆転操作した際に、前記位置決めアームが乗り越え可能な高さとされていることを特徴とする請求項１又は２記載の巻き上げノブの構造。
【請求項４】
外周に歯列を形成したフイルム巻き上げ用の巻き上げノブと、前記巻き上げノブの歯列に弾性自在に係合し、巻き上げノブのフイルム巻き上げ方向への正転操作の際には弾性変形してその回転を許容し、また、逆転操作の際には前記歯列の谷に入り込んでその回転を阻止する逆転防止機能を有する逆転防止爪とを備えた巻き上げノブの構造において、
前記巻き上げノブの回転中心と同軸にこの巻き上げノブの上面または下面に一体に形成された周面と、形成された前記逆転防止爪の先端部が所定の位置よりも巻き上げノブの回転中心側に寄った位置の場合に、組立時に前記周面と当接して前記逆転防止爪の先端を巻き上げノブの回転中心側から離れる方向に変位させて所定の位置に位置決めする前記逆転防止爪と一体に形成された位置決めアームと、形成された前記逆転防止爪の先端部が所定の位置よりも巻き上げノブの回転中心側から離れた位置の場合に、組立時に逆転防止爪と当接して前記逆転防止爪の先端部を巻き上げノブの回転中心側に寄った方向に変位させて所定の位置に位置決めする位置決め部材とを備えたことを特徴とする巻き上げノブの構造。
【発明の詳細な説明】
【０００１】
【発明の属する技術分野】
本発明は、巻き上げノブの構造に関し、さらに詳しくは、巻き上げノブの巻き上げ方向への正転操作時に生じる不快音を低減させる巻き上げノブの構造に関するものである。
【０００２】
【従来の技術】
誰でも簡単に撮影を楽しめるように、簡単な撮影機構を備え、そして国際標準規格ＩＳＯの１００７−１９７９年で規定された１３５タイプのパトローネ付きの写真フイルムを予め装填したレンズ付きフイルムユニット（以下、「フイルムユニット」と称す）が良く知られている。
【０００３】
フイルムユニットは、パトローネ付き写真フイルムを収納する本体基部と、この本体基部の前面に被着される前カバーと、本体基部の背面に被着され、これらの間で写真フイルムを光密にする後カバーとから構成され、本体基部には、パトローネ収納室とフイルム収納室とが一体に設けられている。パトローネ収納室にはパトローネが、またフイルム収納室にはパトローネから写真フイルムを引き出してロール状に巻き取ったフイルムロールがそれぞれ装填されており、撮影後に行われる巻き上げノブのフイルム巻き上げ操作によって１コマ分ずつ写真フイルムを巻き上げて露光済みのコマをパトローネの内部に巻き取る。
【０００４】
このようなフイルム巻き上げ機構では、フイルム巻き上げ操作の際に、巻き上げノブをフイルム巻き上げ方向とは逆の方向に回転操作すると、露光済みのコマがパトローネから送り出してしまうため、巻き上げノブの逆転操作を阻止する逆転操作防止機構が設けられている。この機構は、巻き上げノブの外周に形成された歯列と、歯列に弾性自在に係合する逆転防止爪とから構成されており、これらはプラスチック材料で形成されている。逆転防止爪は、巻き上げノブのフイルム巻き上げ方向への正転操作の際には弾性変形してその回転を許容し、また、巻き上げノブの逆転操作の際には歯列の谷に入り込んでその回転を阻止する。
【０００５】
ところが、このような逆転操作防止機構では、巻き上げノブを回転操作すると不快な音が生じる。この音は、逆転防止爪が巻き上げノブの歯で押されて弾性変形し、歯の移動に伴って元の位置に復元した際に次の歯に衝突することと、このときに逆転防止爪が振動することにより生じる。
【０００６】
そこで、本出願人は、巻き上げノブの歯列以外または巻き上げノブ以外の他部品に当接して押圧する消音片を逆転防止爪と一体に設けた発明を提案した（特願平７−１７８４８号）。これにより、逆転防止爪の弾性変形に伴って消音片の先端が巻き上げノブ，または他部品の上で摺動するから、逆転防止爪の振動が最小限に抑えられ、不快な音を減少させることができる。
【０００７】
【発明が解決しようとする課題】
上記消音片は逆転防止爪の振動を抑えることはできるが、逆転防止爪の先端部が次の歯に衝突する際に生じるパチパチという衝突音を抑えるには不十分であることが分かった。また、組み立て後にレンズ付きフイルムユニットを高温下に放置して消音片が変形したり、組み立て後に長期に渡って使用あるいは放置したりした場合に経時によってクリープが増大して消音片が変形したりすることがある。このため、組み立て直後から消音片が巻き上げノブ等を押し付ける力が弱くなり、次第に逆転防止爪の振動音及び衝突音が大きくなるといった問題があることも分かった。
【０００８】
また、衝突音を小さくするには、逆転防止爪の先端部が巻き上げノブの歯と係合する係合量を可能なかぎり小さくするのが有効であるが、この係合量を小さくし過ぎると、巻き上げノブを逆転操作した際に逆転防止爪の先端部が歯列の谷に入り込まずに巻き上げノブの逆転操作を許容してしまうという逆転防止爪の本来の機能を損なう結果となる。そして、逆転防止機能を損なうことなく、前記係合量を小さくするには、逆転防止爪の先端部と巻き上げノブの歯とが所定の位置関係となるようにして正確に組み立てられなければならないから、巻き上げノブ，巻き上げノブを挿通するパトローネ収納室の上壁開口，逆転防止爪の先端部がそれぞれ高精度に成形されている必要がある。ところが、特に、上記逆転防止爪の先端部は、例えば幅約１ｍｍ，厚み約０．２ｍｍ前後というきわめて小さいものであるため、成形時に完全に型から離型せずに型側に樹脂が残る，いわゆる“とられ”が発生しやすいという成形上の問題があり、実現が困難であった。
【０００９】
本発明は、このような問題点を解決するためになされたものであり、逆転防止爪の先端部の成形精度をゆるくしても、逆転防止爪の先端部と巻き上げノブの歯との位置関係を正確に組み立てることができる巻き上げノブの構造を提供することを目的とする。
【００１０】
【課題を解決するための手段】
上記目的を達成するために、請求項１記載の発明では、逆転防止爪の先端部が予め巻き上げノブの回転中心側に寄った位置となるように形成されるとともに、前記巻き上げノブの回転中心と同軸にこの巻き上げノブの上面または下面に一体に形成された周面と、先端が前記周面の内側で前記巻き上げノブの回転中心側に寄った位置となるようにして前記逆転防止爪と一体に形成され、組立時に前記周面と当接して前記逆転防止爪の先端部を前記巻き上げノブの回転中心側から離れる方向に変位させて所定の位置に位置決めする位置決めアームとを備えたものである。
【００１１】
請求項２記載の発明では、位置決めアームは、その一部を巻き上げノブの歯列及び周面以外に当接させて、前記巻き上げノブの正転操作の際に生じる前記逆転防止爪の振動音を阻止するようにしたものであり、請求項３記載の発明では、周面は、巻き上げノブを逆転操作した際に、位置決めアームが乗り越え可能な高さとしたものである。
【００１２】
請求項４記載の発明では、巻き上げノブの回転中心と同軸にこの巻き上げノブの上面または下面に一体に形成された周面と、形成された逆転防止爪の先端部が所定の位置よりも巻き上げノブの回転中心側に寄った位置の場合に、組立時に前記周面と当接して前記逆転防止爪の先端を巻き上げノブの回転中心側から離れる方向に変位させて所定の位置に位置決めする前記逆転防止爪と一体に形成された位置決めアームと、形成された前記逆転防止爪の先端部が所定の位置よりも巻き上げノブの回転中心側から離れた位置の場合に、組立時に逆転防止爪と当接して前記逆転防止爪の先端部を巻き上げノブの回転中心側に寄った方向に変位させて所定の位置に位置決めする位置決め部材とを備えたものである。
【００１３】
【発明の実施の形態】
本発明を実施したレンズ付きフイルムユニット（以下、フイルムユニットと称する）の外観を図２に示す。フイルムユニット１０は、ユニット本体１１を外ケース１２で包んだ構成となっている。外ケース１２には、撮影レンズ１５，シャッタボタン１６，巻き上げノブ１７，ファインダ１８，枚数表示窓１９等を外部に露呈させるための開口が設けられており、この外ケース１２をユニット本体１１に被せたままの状態で撮影操作が行えるようになっている。
【００１４】
撮影を行う場合には、巻き上げノブ１７を同図に示す矢印方向（反時計方向）に回転（正転）させて写真フイルムを巻き上げる。この操作は、巻き上げノブ１７の回転が禁止されるまで行う。そしてシャッタボタン１６を押下することにより撮影が行える。
【００１５】
ユニット本体１１は、図３に示すように、本体基部２０，露光ユニット２１，後カバー２２，及び前カバー２３とからなる。本体基部２０には、国際標準規格（ＩＳＯ：１００７−１９７９年版）で規定された１３５タイプの写真フイルムパトローネ２５が装填される。写真フイルムパトローネ２５は、写真フイルム２５ａと、この写真フイルム２５ａを光密に収納するパトローネ２５ｂとからなる。このパトローネ２５ｂは、写真フイルム２５ａの末端が固定されたスプール２５ｃを備え、スプール２５ｃが巻き上げ方向（図中、反時計方向）に回転されたときに、スプール２５ｃの外周に露光済みの写真フイルム２５ａを巻き上げる。
【００１６】
露光ユニット２１には、撮影レンズ１５，ファインダ１８の他、シャッタ機構，フイルムカウンタ機構、及びフイルム巻き止め機構等が組み付けられおり、この上部には透明プラスチック製の保持板２６が組み付けられている。保持板２６は、カウンタ表示板２８等の軸受けやカウンタ表示板２８に刻印された撮影可能なフイルム残数を拡大して見やすくする拡大レンズ２７等が一体に形成されている。
【００１７】
本体基部２０の中央には、アパーチャ２０ａが形成され、このアパーチャ２０ａの前面には、露光ユニット２１が着脱自在に取り付けられる。アパーチャ２０ａには、露光ユニット２１の撮影レンズ１５を透過した被写体光が導かれる。このアパーチャ２０ａの両側には、パトローネ２５ｂを収納するためのパトローネ収納室３０と、パトローネ２５ｂから引き出した未露光の写真フイルム２５ａのロール２５ｄを収納するためのフイルム収納室３１とが一体成形されている。
【００１８】
後カバー２２は、ファインダー接眼窓３３，巻き上げノブ１７の一部を外部に露呈するための開口３５，パトローネ収納室３０とフイルム収納室３１との底面を閉じる底蓋３６，３７等が一体に形成されている。この後カバー２２は、本体基部２０の背後に係止爪による爪係合によって取り付けられた後に、超音波溶着にて一体化され、底蓋３６，３７を閉じることにより、本体基部２０との間で写真フイルムパトローネ２５を光密に収納する。底蓋３６は、撮影済の写真フイルムパトローネ２５を取り出す際に開かれる。前カバー２３は、ファインダ対物窓３８，撮影レンズ１５を露呈するための開口３９，シャッタボタン１６等が一体に形成されており、本体基部２０の前面に着脱自在に取り付けられる。
【００１９】
巻き上げノブ１７は、パトローネ収納室３０の上部に回動自在に配置され、外部操作が可能なように、その一部が後カバー２２の開口３５から露呈している。巻き上げノブ１７の外周には、回転操作時の滑り止めと、逆転防止爪４０と協同して巻き上げノブ１７の逆転操作を防止する歯列１７ａが形成されている。パトローネ２５ｂが装填された際には、巻き上げノブ１７の軸がパトローネ収納室３０の孔（図示省略）を通してスプール２５ｃの端部と係合する。
【００２０】
また、図４に示すように、この巻き上げノブ１７の上面には、突起部４１が形成されている。この突起部４１は、その周面４１ａで逆転防止爪４０を後述する所定の位置に位置決めするために、巻き上げノブ１７の回転中心と同軸かつ巻き上げノブ１７よりも半径が小さい断面円形にして形成されている。
【００２１】
巻き上げノブ１７をフイルム巻き上げ方向に回転させて巻き上げ操作を行うと、パトローネ２５ｂのスプール２５ｃが巻き取り方向に回動し、写真フイルム２５ａが移送される。この写真フイルム２５ａには、パーフォレーションが設けられており、パーフォレーションの８個分がフイルム１コマに相当する。このパーフォレーションには、８枚歯の従動スプロケットが噛合しており、従動スプロケットの一回転で写真フイルム２５ａが丁度１コマ分送られる。この間にシャッタ機構のチャージが行われる。
【００２２】
フイルム１コマ分が移送されると、これに連動してフイルム巻き止め機構が作動する。フイルム巻き止め機構の作動は、従動スプロケットの回転を禁止すると同時に、係止爪が巻き上げノブ１７の歯列１７ａに係合して巻き上げノブ１７のフイルム巻き上げ方向への回転操作を禁止する。シャッタ機構がチャージされた状態でシャッタボタン１６が押下操作されると、シャッター機構が作動し、この作動に連動してフイルム巻き止め機構の作動が解除される。これにより、従動スプロケットと巻き上げノブ１７との回転が可能となり、次回の巻き上げ操作が許容される。写真フイルム２５ａの最終コマに撮影を終えた後に巻き上げノブ１７を回転する際には、従動スプロケットがフリーになり、この状態で巻き上げノブ１７を回転させても巻き止めがかからず、写真フイルム２５ａの全てをパトローネ２５ｂの内部に巻き込むことができる。
【００２３】
逆転防止爪４０は、パトローネ収納室３０の上壁近傍で本体基部２０に一体に形成されている。図４に示すように、逆転防止爪４０は、本体基部２０からＬ字状に立ち上げられている。また、この逆転防止爪４０には、位置決めアーム４５が一体に形成されている。この位置決めアーム４５は、逆転防止爪４０の先端部４０ａに寄った位置から立ち上げられ、逆転防止爪４０に沿って前方に伸ばされており、その先端部４５ａが下方に折り曲げられた略コ字状にして形成されている。
【００２４】
図１に示すように、逆転防止爪４０は、その先端部４０ａが、所定の位置より巻き上げノブ１７の回転中心側（フイルムユニット１０の前面側）にやや寄った図中符号５０で示される位置になるようにして形成されている。また、位置決めアーム４５は、その先端部４５ａが突起部４１の周面４１ａよりも内側で、巻き上げノブ１７の回転中心側に寄った図中符号５１で示される位置になるようにして形成されるとともに、先端部４５ａは、突起部４１よりも一段低い水平面１７ｂと同じか僅かに低い位置になるようにして形成されている。
【００２５】
パトローネ収納室３０の上部に巻き上げノブ１７を取り付けると、この巻き上げノブ１７の周面４１ａで位置決めアーム４５の先端部４５ａが押圧され、位置決めアーム４５が巻き上げノブ１７の中心から離れる方向（フイルムユニット１０の背面方向）に向かって移動され、先端部４５ａの垂直な１辺が周面４１ａに当接した状態になる。これにともなって、逆転防止爪４０の先端部４０ａが巻き上げノブ１７の中心から離れる方向に変位され、巻き上げノブ１７の逆転操作時には歯列１７ａの谷に入り込んでその回転を阻止する逆転防止機能はそのまま保持しながら、歯列１７ａの歯との係合量Ｄが小さい所定の位置に位置決めされる。この結果、巻き上げノブ１７を巻き上げ操作して逆転防止爪４０の先端部４０ａが歯列１７ａの歯を乗り越えた後、次の歯に叩きつけられて発生される不快なパチパチ音が小さくなる。
【００２６】
なお、位置決めアーム４５は、周面４１ａに押圧されることにより、水平方向に僅かに弾性変形したり、逆転防止爪４０からの立ち上がった部分が捩じれたりする。このため、これらの捩じれ量や弾性変形量を考慮し、逆転防止爪４０が所定の位置に位置決めされようにして、突起部４１の半径あるいは位置決めアーム４５の長さが決定される。
【００２７】
また、位置決めアーム４５は、逆転防止爪４０の振動音を低減するための消音片としての機能を持っており、先端部４５ａの下端は、位置決めアーム４５が持つ上下方向の弾性により、巻き上げノブ１７の水平面１７ｂを上方から押さえ付けることで、逆転防止爪４０の先端部４０ａが歯列１７ａの各歯を乗り越える時に、逆転防止爪４０が弾性変形して復元する際の振動を低減し、不快音を低減させる。巻き上げノブ１７の水平面１７ｂが平滑面となっているため、ここに位置決めアーム４５の先端部４５ａを押し付けて当接させても、フイルム巻き上げ操作時に巻き上げノブ１７の回転操作に負担をかけることはない。もちろん、位置決めアーム４５の先端部４５ａが周面４１ａと当接していることによっても、逆転防止爪４０の振動音が低減される。
【００２８】
さらに、逆転操作時に、逆転防止爪４０が巻き上げノブ１７の回転中心に寄る方向（フイルムユニット１０の前方向）に弾性変形した際に、位置決めアーム４５が変形して逆転防止爪４０の先端部４０ａの位置決め精度が悪化しないようにするために、図４に示すように、周面４１ａは、その高さＨが例えば０．１５ｍｍ程度の低いものとされている。これにより、逆転防止爪４０が巻き上げノブ１７の回転中心に寄る方向に弾性変形した際には、この逆転防止爪４０の弾性変形や捩じれによって、位置決めアーム４５の先端部４５ａが突起部４１の上面に容易に乗り上げ、逆転防止爪４０の先端部４０ａと位置決めアーム４５とが開いた状態に変形しないようにしている。
【００２９】
フイルムユニット１０は、本体基部２０に，巻き上げノブ１７，露光ユニット２１，前カバー２３を取り付けてから写真フイルムパトローネ２５を装填し、その後に後カバー２２を取り付けて超音波溶着し、最後に外ケース１２で覆うことで完成する。なお、本体基部２０に後カバー２２を超音波溶着する部位は、位置決めアーム４５や逆転防止爪４０が巻き上げノブ１７に溶着されないように、例えば本体基部２０の左右の側部と底部のみとする。
【００３０】
上記構成の作用を簡単に説明する。撮影を行う場合には、先ず、巻き上げノブ１７を正転操作する。この操作の際に、逆転防止爪４０の先端部４０ａが歯列１７ａの歯で押されて逆転防止爪４０が弾性変形し、歯の移動に伴って元の位置（歯と歯の間の谷）に復元した際に次の歯に衝突することで不快な音が生じる。しかしながら、周面４１ａに位置決めアーム４５の先端部４５ａが当接することによって、逆転防止爪４０の先端部４０ａが所定の位置に規制され、先端部４０ａと巻き上げノブ１７の歯列１７ａの各歯との係合量が小さくなっているから、先端部４０ａと次の歯との衝突面積が小さくなる。したがって、逆転防止爪４０の復元時に発生する不快な衝突音が小さくなる。
【００３１】
また、位置決めアーム４５の先端部４５ａの下端で巻き上げノブ１７を押し付けているため、逆転防止爪４０の復元時の振動音が低減される。ところで、経時変形や高温下にフイルムユニット１０を放置すると、位置決めアーム４５が巻き上げノブ１７を押し付ける力（弾性力）が低下する。これにともなって、振動音の低減効果も弱まってしまうが、位置決めアーム４５による振動音の低減効果が弱くなった後でも、周面４１ａ及び位置決めアーム４５の幾何的な形状及び構造により、上記のような衝突音の低減効果を長期間維持できるので、フイルム巻き上げに際して発生する不快音を低減することが可能である。
【００３２】
なお、位置決めアーム４５は、逆転防止爪４０と一体に形成されているから、先端部４５ａを周面４１ａから離れる方向に移動させようとする力が働くが、この力は、位置決めアーム４５が周面４１ａと当接することで生じている弾性変形を復元する方向に働くため、先端部４５が周面４１ａから離れることはない。なお、位置決めアーム４５が周面４１ａから離れても、逆転防止爪４０が復元する際には、再び周面４１ａと当接した元の位置まで戻るので、逆転防止爪４０の先端部４０ａは所定の位置に規制され、逆転防止爪４０の復元時に発生する不快な衝突音を小さくすることができる。この場合に、周面４１ａと先端部４５ａとは、衝突面積が小さいので、これらの衝突音は極めて小さなものである。
【００３３】
また、撮影者が巻き上げノブ１７を逆転操作しようとした場合には、逆転防止爪４０が巻き上げノブ１７の歯列１７ａの谷に入り込み、その長手方向の剛性で巻き上げノブ１７の逆転が阻止される。ここで、大きな力で逆転操作した時には、逆転防止爪４０が巻き上げノブ１７の回転中心に寄る方向に弾性変形され、先端部４５ａが周面４１ａに当接して位置が規制された位置決めアーム４５と、逆転防止爪４０の先端部４０ａとの開きが大きくなるようにして、位置決めアーム４５が変形し、巻き上げノブ１７から力を取り除いた後でも、位置決めアーム４５の変形が僅かに残り、逆転防止爪４０の先端が所定の位置に位置決めされなくなってしまうことがある。
【００３４】
しかしながら、このフイルムユニット１０では、逆転操作しようとして、逆転防止爪４０が巻き上げノブ１７の回転中心に寄る方向に弾性変形された際には、逆転防止爪４０は、巻き上げノブ１７から長手方向に沿って本体基部２０の立ち上げ部分に向かって押されて逆転防止爪４０が撓む。これに伴って、位置決めアーム４５の先端部４５ａの下端が巻き上げノブ１７の水平面１７ｂから僅かに浮いた状態となり、突起部４１に乗り上げて周面４１ａとの当接が解除される。これにより、位置決めアーム４５は、逆転防止爪４０と一体に移動可能となるので、逆転防止爪４０の先端部４０ａとの開きが大きくなるように変形されてしまうことはない。
【００３５】
そして、先端部４５ａが突起部４１の上面に乗り上げた状態で、巻き上げノブ１７を正転操作すれば、逆転防止爪４０が巻き上げノブ１７の回転中心に離れた方向に弾性変形すること、及び先端部４５ａがその下端と突起部４１の上面との摩擦によって巻き上げノブ１７の回転方向に移動されることで、位置決めアーム４５は、突起部４１から水平面１７ｂに落ち込んで周面４１ａに当接した正規の位置まで戻される。これにより、逆転防止爪４０の先端部４０ａは、再び所定の位置に位置決めされる。
【００３６】
フイルム巻き上げ操作とシャッタレリーズとを繰り返してゆき、そして、写真フイルム２５ａの最終コマを撮影すると、その後は巻き上げノブ１７の空送り操作によって写真フイルム２５ａの全てがパトローネ２５ｂの内部に収納される。この使用済みのフイルムユニット１０は、現像所に提出され、パトローネ収納室３０から写真フイルムパトローネ２５が取り出された後、これに従来どおりの現像及び焼付け処理が施される。そして、ユーザには、プリント写真と現像済み写真フイルムとが返却される。
【００３７】
図５及び図６は、巻き上げノブの回転中心から離れる方向への逆転防止爪の振れも補正するようにした例を示すものである。なお上記実施形態と同じものには、同符号を付して説明する。逆転防止爪６０は、その先端６０ａがほぼ所定の位置となるようにして、本体基部２０に一体に形成される。この逆転防止爪６０には、位置決めアーム４５が一体に形成されている。また、後カバー２２の内壁で逆転防止爪６０に対峙する位置には、位置決め部材としての突起６３が形成されている。
【００３８】
逆転防止爪６０をほぼ所定の位置となるようにして形成しても、先端部６０ａは、製造上の精度から所定の位置に対して巻き上げノブ１７の回転中心に寄った方向、あるいは巻き上げノブ１７の回転中心から離れる方向にずれ（誤差）が生じる。しかしながら、先端部６０ａの位置が巻き上げノブ１７の回転中心に寄った方向にずれている場合には、上記実施形態と同様にして、位置決めアーム４５の先端部４５ａと巻き上げノブ１７の上面に形成された周面４１ａが当接することにより、逆転防止爪６０の先端部６０ａは、歯列１７ａの歯との係合量Ｄが小さい所定の位置に位置決めされる。
【００３９】
また、先端部６０ａの位置が巻き上げノブ１７の回転中心から離れた方向にずれている場合には、後カバー２２を本体基部２０に組み付けることにより、図６に示されるようにして、突起６３の先端が逆転防止爪６０を巻き上げノブ１７の回転中心に寄った方向に変位させることで、先端部６０ａが所定の位置に位置決めされる。この結果、逆転防止爪６０が巻き上げノブ１７の回転中心に寄った方向、あるいは離れる方向にずれていても、その先端部６０ａは、所定の位置に位置決めされるから、上記実施形態と同様な効果が得られる。
【００４０】
なお、後カバー２２に突起６３を設ける代わりに、露光ユニット２１の上面に組み付けられた保持板２６の下面に、逆転防止爪６０の背面側に配されるピンを一体に設け、このピンで巻き上げノブ１７の回転中心から離れた方向にずれた逆転防止爪６０を巻き上げノブ１７の回転中心に寄った方向に変位させるようにしてもよい。また、突起６３や保持板２６の下面に設けたピンに弾性ゴムチューブやスポンジ等を装着し、逆転防止爪６０の復元時に逆転防止爪６０が衝突する際の衝突音を緩衝してもよい。
【００４１】
上記各実施形態では、位置決めアーム４５を巻き上げノブ１７の上面に形成した断面円形の突起部４１の周面４１ａに当接させているが、巻き上げノブ１７の下面に突起部を設けて、その周面に位置決めアーム４５の先端部４５ａを当接させるようにしてもよい。また、位置決めアーム４５を当接させる部材は、巻き上げノブ１７の回転中心と同軸にして設けられた周面であればよいので、例えば、図７に示すように、巻き上げノブ１７の端面に設けたドーナツ形状の突起部７０の周面７０ａでもよく、図８に示すように、巻き上げノブ１７の端面に溝７１を形成し、この溝７１の内側の周面７１ａに位置決めアーム４５の先端部４５ａを当接するようにしてもよい。
【００４２】
また、上記各実施形態では、逆転防止爪の先端部と位置決めアームとは、形成時には開きがないものとしているが、これらの間に適当な開き（角度）を持たせて形成してもよい。さらに、本発明は予めフイルムを内蔵させたレンズ付きフイルムユニットだけでなく、フイルム巻き上げ操作部に同様の巻き上げノブ，逆転防止爪を用いたものであれば一般のカメラにも利用することができる。
【００４３】
【発明の効果】
以上説明したように、本発明のレンズ付きフイルムユニットによれば、巻き上げノブの端面に巻き上げノブの回転中心と同軸に周面を形成するとともに、予め逆転防止爪の先端部が巻き上げノブの回転中心側に寄った位置となるようにして形成し、この逆転防止爪と一体にして先端が周面の内側で前記巻き上げノブの回転中心側に寄った位置となるようにした位置決めアームを形成して、この位置決めアームが組立時に周面と当接させることで、逆転防止爪を巻き上げノブの回転中心から離れる方向に変位させて所定の位置に位置決めするようにしたから、逆転防止爪の成形精度をゆるくしても逆転防止爪を正確な所定の位置に位置決めすることができる。これにより、逆転防止爪と巻き上げノブの歯列との係合量を小さくすることが容易にでき、フイルム巻き上げに際して発生する不快音を低減することができる。
【００４４】
また、位置決めアームを巻き上げノブの歯列及び周面以外の部分に当接させて、逆転防止爪の振動音を防止したので、巻き上げノブを操作した際に生じる不快な音を低減でき、高温下にレンズ付きフイルムユニットに長期間放置したことで生じる変形や経時変形によって、振動音の低減効果が弱くなった後でも、周面及び位置決めアームの幾何的な形状及び構造により、衝突音の低減効果を長期間維持できるので、フイルム巻き上げに際して発生する不快音を低減することが可能である。また、逆転防止爪の成形精度をゆるやかにできるため、逆転防止爪を含む部品の成形が容易にでき、部品成形コストが低減できる。
【００４５】
さらに、逆転防止爪を巻き上げノブの回転中心に寄る方向に変位される位置決め部材を設けることにより、形成された前記逆転防止爪の先端部が所定の位置よりも巻き上げノブの回転中心に寄った位置の場合には、組立時に位置決めアームと周面とが当接して前記逆転防止爪の先端を巻き上げノブの回転中心から離れる方向に変位させて所定の位置に位置決めされ、形成された前記逆転防止爪の先端部が所定の位置よりも巻き上げノブの回転中心側から離れた位置の場合には、組立時に位置決め部材が逆転防止爪と当接して逆転防止爪の先端部を巻き上げノブの回転中心に寄った方向に変位させて所定の位置に位置決めされるので、逆転防止爪の成形精度をゆるくしても逆転防止爪を正確な所定の位置に位置決めすることができる。これにより、逆転防止爪と巻き上げノブの歯列との係合量を小さくすることが容易にでき、フイルム巻き上げに際して発生する不快音を低減することができる。
【図面の簡単な説明】
【図１】本発明を実施した巻き上げノブと逆転防止爪との関係を示す説明図である。
【図２】フイルムユニットの外観を示す斜視図である。
【図３】ユニット本体の分解斜視図である。
【図４】逆転防止爪と巻き上げノブとの要部を背面側から見た斜視図である。
【図５】後カバーに形成した位置決め部材としての突起を併用した実施形態を示す説明図である。
【図６】図５に示した実施形態のＶＩ−ＶＩ断面図である。
【図７】周面をドーナツ形状の突起部によって形成した例を示す斜視図である。
【図８】周面を溝によって形成した例を示す斜視図である。
【符号の説明】
１０  フイルムユニット
１１  ユニット本体
１７  巻き上げノブ
１７ａ  歯列
２０  本体基部
２１  露光ユニット
２２  後カバー
２３  前カバー
２５  写真フイルムパトローネ
３０  パトローネ収納室
４０  逆転防止爪
４１  突起部
４１ａ  周面
４５  位置決めアーム
【図１】
0003737179.tif 000002
【図２】
0003737179.tif 000003
【図３】
0003737179.tif 000004
【図４】
0003737179.tif 000005
【図５】
0003737179.tif 000006
【図６】
0003737179.tif 000007
【図７】
0003737179.tif 000008
【図８】
0003737179.tif 000009